(57)【要約】      （修正有）【課題】  脱着可能な原稿マットをユーザが容易に正確な位置に装着できる画像読み取り装置を提供する。【解決手段】  透明な原稿台と、原稿台の下方に設けられた原稿台第一照明部と、原稿台の下方に設けられた原稿読み取り部と、原稿台の上方に設けられた原稿台第二照明部と、原稿台を覆うための原稿マットと、原稿マットの第一端部に設けられた差込部と、原稿マットの厚さ方向に突出する第一突部と、第二照明部に設けられ、差込部が緩く挿入される開口を有し原稿マットが第一端部をほぼ中心に揺動可能に差込部を掛け止める掛け止め部と、第二照明部に設けられ原稿マットが前記第一端部をほぼ中心に第二照明部に接近する方向に回転すると第一突部がきつく挿入される開口を有する位置決め部と、第二照明部に設けられ、前記第一端部に対向する第二端部を位置決め部の開口に第一突部が挿入された状態で開放可能に保持する保持部と、を備える画像読み取り装置。【選択図】  図１
2007010952.tif 000002
【特許請求の範囲】
【請求項１】
透明な原稿台と、
前記原稿台の下方に設けられ前記原稿台を照明する第一照明部と、
前記原稿台の下方に設けられ前記原稿台に載置された原稿を読み取る読み取り部と、
前記原稿台の上方に設けられ前記原稿台を照明する第二照明部と、
前記原稿台を覆うための板状の原稿マットと、
前記原稿マットの第一端部に設けられた差込部と、
前記原稿マットの前記第一端部に設けられ前記原稿マットの厚さ方向に突出する第一突部と、
前記第二照明部に設けられ、前記差込部が緩く挿入される開口を有し前記原稿マットが前記第一端部をほぼ中心にして揺動可能に前記差込部を掛け止める掛け止め部と、
前記第二照明部に設けられ、前記原稿マットが前記第一端部をほぼ中心にして前記第二照明部に接近する方向に回転すると前記第一突部がきつく挿入される開口を有する位置決め部と、
前記第二照明部に設けられ、前記原稿マットの前記第一端部に対向する第二端部を、前記位置決め部の開口に前記第一突部が挿入された状態で開放可能に保持する保持部と、
を備える画像読み取り装置。
【請求項２】
前記原稿台が固定されているメインハウジングをさらに備え、
前記第二照明部は前記メインハウジングに回転可能に連結され、
前記掛け止め部は、前記第二照明部の回転軸の近傍に設けられ、前記第二照明部の回転軸と前記原稿マットの前記第一端部とが平行な姿勢になるように前記差込部を掛け止める請求項１に記載の画像読み取り装置。
【請求項３】
前記原稿マットの前記第一端部の前記第一突部から離間した部位に設けられ前記原稿マットの厚さ方向に突出する第二突部と、
前記第二照明部に設けられ、前記原稿マットが前記第一端部をほぼ中心にして前記第二照明部に接近する方向に回転すると、前記第一突部及び前記第二突部の配列方向に垂直な方向にきつく、前記第一突部及び前記第二突部の配列方向に緩く前記第二突部が挿入される開口を有する回転規制部と、
をさらに備える請求項１又は２記載の画像読み取り装置。
【請求項４】
前記原稿マットは、前記読み取り部の読み取り領域原点で前記原稿台に密着し、
前記第一突部は、前記原稿マットの前記読み取り領域原点に最も近い角部の近傍に形成されている請求項１〜３のいずれか一項に記載の画像読み取り装置。
【発明の詳細な説明】
【技術分野】
【０００１】
本発明は、画像読み取り装置に関する。
【背景技術】
【０００２】
従来、透過原稿用光源を内蔵する原稿カバーを備える画像読み取り装置が知られている。特許文献１に開示されている画像読み取り装置では、反射原稿の読み取りには透過原稿用光源から放射される光を遮断し反射原稿を原稿台に密着させる原稿マットが原稿カバーに装着され、透過原稿の読み取りには原稿マットが原稿カバーから取り外される。
画像読み取り装置において読み取り領域内の任意の位置に載置される反射原稿の領域認識等をするためには、表面が高い反射率を有する原稿マットで読み取り領域を完全に覆う必要がある。また光学系の被写界深度内に原稿を収めるため、読み取り領域内では反射原稿が完全に原稿台に密着していることが望ましい。特に原稿の端部は反りやすい為、反射原稿を原稿台上で位置決めするための原稿ガイドの端面近傍では原稿台に原稿マットを密着させることが望ましい。
【０００３】
しかしながら、特許文献１に開示されているように原稿マットが脱着可能である場合、脱着のしやすさを犠牲にせずに原稿マットを原稿カバーに正確に位置決めできないため、原稿マットが原稿ガイドに乗り上げるように原稿マットを位置決めせざるを得ない。すると、読み取り領域原点において原稿マットと原稿台との間に間隙が形成される。そのような状態では、反射原稿の端部が原稿台の盤面から浮き上がることを防止できないため、反射原稿の端部を鮮明に読み取ることができない。
【０００４】
【特許文献１】特開２００３−７５９４４号公報
【発明の開示】
【発明が解決しようとする課題】
【０００５】
本発明は、脱着可能な原稿マットをユーザが容易に正確な位置に装着できる画像読み取り装置を提供することを目的とする。
【課題を解決するための手段】
【０００６】
（１）上記目的を達成するための画像読み取り装置は、透明な原稿台と、前記原稿台の下方に設けられ前記原稿台を照明する第一照明部と、前記原稿台の下方に設けられ前記原稿台に載置された原稿を読み取る読み取り部と、前記原稿台の上方に設けられ前記原稿台を照明する第二照明部と、前記原稿台を覆うための板状の原稿マットと、前記原稿マットの第一端部に設けられた差込部と、前記原稿マットの前記第一端部に設けられ前記原稿マットの厚さ方向に突出する第一突部と、前記第二照明部に設けられ、前記差込部が緩く挿入される開口を有し前記原稿マットが前記第一端部をほぼ中心にして揺動可能に前記差込部を掛け止める掛け止め部と、前記第二照明部に設けられ、前記原稿マットが前記第一端部をほぼ中心にして前記第二照明部に接近する方向に回転すると前記第一突部がきつく挿入される開口を有する位置決め部と、前記第二照明部に設けられ、前記原稿マットの前記第一端部に対向する第二端部を、前記位置決め部の開口に前記第一突部が挿入された状態で開放可能に保持する保持部と、を備える。
原稿マットの差込部が緩く挿入される開口を掛け止め部が有していることにより、ユーザは掛け止め部の開口に原稿マットの差込部を容易に挿入することができる。掛け止め部に掛け止められた原稿マットが第一端部をほぼ中心にして第二照明部に接近する方向に回転すると第一突部が位置決め部の開口にきつく挿入される。その状態で保持部が原稿マットの第一端部に対向する第二端部を開放可能に保持する。その結果、第二照明部の所定の位置に原稿マットが取り外し可能な状態で正確に位置決めされ保持される。
【０００７】
（２）前記画像読み取り装置は、前記原稿台が固定されているメインハウジングをさらに備えてもよい。前記第二照明部は前記メインハウジングに回転可能に連結されてもよい。前記掛け止め部は、前記第二照明部の回転軸の近傍に設けられ、前記第二照明部の回転軸と前記原稿マットの前記第一端部とが平行な姿勢になるように前記差込部を掛け止めてもよい。
第二照明部の回転軸と原稿マットの回転軸とが平行で、原稿マットの回転軸が第二照明部の回転軸の近傍になる構成では、ユーザは原稿マットを第二照明部の掛け止め部に容易に掛け止めることができる。
【０００８】
（３）前記画像読み取り装置は、前記原稿マットの前記第一端部の前記第一突部から離間した部位に設けられ前記原稿マットの厚さ方向に突出する第二突部と、前記第二照明部に設けられ、前記原稿マットが前記第一端部をほぼ中心にして前記第二照明部に接近する方向に回転すると、前記第一突部及び前記第二突部の配列方向に垂直な方向にきつく、前記第一突部及び前記第二突部の配列方向に緩く前記第二突部が挿入される開口を有する回転規制部と、をさらに備えてもよい。
原稿マットの第一突部から離間した部位に設けられる第二突部が、第一突部及び第二突部の配列方向に垂直な方向にきつく挿入される開口を第二照明部に設けることにより、原稿マットの第一突部を中心にした回転を規制することができる。また第二突部がその開口に第一突部及び第二突部の配列方向に緩く挿入される構成では、第一突部と第二突部の距離の公差を大きく設定することができる。
【０００９】
（４）前記画像読み取り装置は、前記原稿マットは、前記読み取り部の読み取り領域原点で前記原稿台に密着し、前記第一突部は、前記原稿マットの前記読み取り領域原点に最も近い角部の近傍に形成されてもよい。
第一突部が原稿マットの読み取り領域原点に最も近い角部の近傍に形成される構成では、読み取り領域原点に対する第一突部の位置公差を小さくすることができる。
【発明を実施するための最良の形態】
【００１０】
以下、複数の実施例に基づいて本発明の実施の形態を説明する。各実施例において同一の符号が付された構成要素は、その符号が付されたほかの実施例の構成要素と対応する。
（第一実施例）
（１）構成
図１は、本発明による画像読み取り装置の第一実施例としてのイメージスキャナ１の構造を示す模式図である。イメージスキャナ１は透明なガラス板からなる原稿台１６を備えるフラットベッド型で、密着型のイメージセンサを備える画像読み取り装置である。
【００１１】
原稿台１６は、ガラス板等の透明板で形成され、その盤面上に透過原稿及び反射原稿が載置される。透過原稿は例えばストリップフィルム、マウントフィルム等の現像済み写真フィルムである。透過原稿は図示しないホルダに係止された状態で原稿台１６に載置されてもよいし、そのまま原稿台１６に載置されてもよい。原稿台１６は、メインハウジング３００の原稿ガイド３０２に固定されている。
【００１２】
メインキャリッジ２４は反射原稿照明部２２、セルフォックレンズアレイ（ＳＬＡ）１８、リニアイメージセンサ２０を搭載している。メインキャリッジ２４はサブキャリッジ３５上にばね３４によって支持されている。メインキャリッジ２４はばね３４に押されることによって原稿台１６に密着する。このためメインキャリッジ２４に搭載されたＳＬＡ１８及びリニアイメージセンサ２０が光軸方向に正確に位置決めされる。サブキャリッジ３５に固定されているリング４４は副走査方向に架設されているガイドロッド３６に沿って摺動する。サブキャリッジ３５はプーリ３８及びプーリ４６にかけられたベルト４２に結合されている。プーリ３８はモータ４０によって駆動される。モータ４０が回転するとサブキャリッジ３５とともにメインキャリッジ２４が原稿台１６に沿って副走査方向に移動する。
【００１３】
ＳＬＡ１８はセルフォックレンズの配列方向が主走査方向に一致する姿勢でメインキャリッジ２４に固定されている。ＳＬＡ１８はリニアイメージセンサ２０の受光面に反射原稿４８の正立等倍像を結像させる。
読み取り部としてのリニアイメージセンサ２０は光電変換素子の配列方向が主走査方向に一致する姿勢でメインキャリッジ２４のＳＬＡ１８の直下に固定されている。リニアイメージセンサ２０は多数のフォトダイオード等からなる光電変換部とＣＣＤやＣＭＯＳ等の電荷転送部とで構成されている。
【００１４】
第一照明部としての反射原稿照明部２２は、導光体、ＬＥＤ等で構成され、導光体の長手方向が主走査方向に一致する姿勢でメインキャリッジ２４のＳＬＡ１８の近傍に固定されている。
【００１５】
サブハウジング１００は透過原稿照明部２６を収容し、図示しないヒンジにより原稿台１６の盤面を開放する姿勢から原稿台１６の盤面を覆う姿勢に回転可能にメインハウジング３００に連結されている。透過原稿照明部２６は蛍光管、導光体等で構成されている。サブハウジング１００及び透過原稿照明部２６は第二照明部に相当する。
【００１６】
原稿マット２００は、サブハウジング１００に脱着可能に設けられている。原稿マット２００は原稿台１６の盤面に載置された原稿を原稿台１６に密着させるものである。原稿マット２００は反射原稿４８を読み取る際にサブハウジング１００に装着され、フィルム等の透過原稿を読み取る際に取り外される。
【００１７】
図２は、イメージスキャナ１の電気的構成を示すブロック図である。
ＣＰＵ６４はＲＯＭ６６に記憶されている制御プログラムを実行してイメージスキャナ１の各部を制御する。ＲＯＭ６６は制御プログラムを記憶している不揮発性メモリである。ＲＡＭ７０は制御プログラム、スキャン画像データなどを一時的に記憶するメモリである。ＲＡＭコントローラ６８は、ＣＰＵ６４、ＡＦＥ部７６、画像処理部７４、外部インタフェース７２及びＲＡＭ７０の間のデータ転送を制御する。
【００１８】
ＬＥＤ等の反射原稿用光源５０はインバータ回路、制御回路等から構成される光源コントローラ５２によって点灯及び消灯が制御される。反射原稿用光源５０及び光源コントローラ５２は第一照明部に相当する。
蛍光管等の透過原稿用光源５４は、インバータ回路、制御回路等から構成される光源コントローラ５６によって点灯及び消灯が制御される。透過原稿用光源５４及び光源コントローラ５６は第二照明部に相当する。
【００１９】
リニアイメージセンサ２０はゲートパルス信号、シフトパルス信号等の制御パルス信号を出力するセンサコントローラ５８によって制御される。
メインキャリッジ２４を副走査方向に移動させるモータ４０は制御パルスを出力する副走査コントローラ６２によって制御される。
【００２０】
アナログフロントエンド（ＡＦＥ）部７６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像データをＲＡＭコントローラ６８を介してＲＡＭ７０に格納する。
【００２１】
画像処理部７４は、ＲＡＭ７０に記憶されているスキャン画像データに対し、ガンマ補正、シェーディング補正等の画像処理を施すための信号処理をＣＰＵ６４と協働して行うＤＳＰ（Digital Signal Processor）である。外部インタフェース７２はイメージスキャナ１とＰＣ等の外部システムとを通信可能に接続する。
【００２２】
図３は原稿マット２００がサブハウジング１００に装着されている状態を示す斜視図である。差込部２０４は、原稿マット２００の第一端部２０８に互いに離間して２つ設けられている。尚、原稿マット２００を長方形としてみたときの特定の辺の近傍を端部というものとする。原稿マット２００の下面２０１は白色である。原稿マット２００の下面２０１は原稿台１６の読み取り領域を完全に覆う広さである。
【００２３】
図４は原稿マット２００が取り外された状態のサブハウジング１００を示す斜視図である。透過原稿照明部２６は、原稿マット２００によって覆われる位置に設けられている。二つの掛け止め部の開口１０４の配列方向は、サブハウジング１００の回転軸と平行である。位置決め部の開口１０２及び回転規制部の開口１０６はそれぞれ、掛け止め部の開口１０４の近傍に設けられている。位置決め部の開口１０２は円形である。回転規制部の開口１０６は、サブハウジング１００の回転軸の方向（位置決め部の開口１０２及び回転規制部の開口１０６の配列方向）に長い楕円である。
【００２４】
図５はサブハウジング１００の掛け止め部の拡大図、図６は原稿マット２００の差込部の拡大図、図７は原稿マット２００がサブハウジング１００に装着されている状態におけるサブハウジング１００の掛け止め部の断面図である。
掛け止め部の開口１０４は、差込部２０４を緩く挿入できるように構成されている。開口１０４はサブハウジング１００の壁面によって囲まれている。開口１０４の内側にはサブハウジング１００の壁面に囲まれた空洞１０７が形成されている。空洞１０７は、差込部２０４を収容できるように構成されている。掛け止め部は開口１０４と、空洞１０７と、開口１０４及び空洞１０７を囲むサブハウジング１００の壁面によって構成されている。
【００２５】
第一突部２０２は、差込部２０４が設けられている原稿マット２００の第一端部２０８に設けられている。第一突部２０２が設けられる位置は、原稿マット２００が原稿台１６に載置された状態において原稿台１６の読み取り領域原点に最も近くなる原稿マット２００の角部の近傍である。第一突部２０２は概略円柱状に形成され、原稿マット２００の板厚方向に突出している。第一突部２０２の直径は位置決め部の開口１０２の直径とほぼ同じで、第一突部２０２が位置決め部の開口１０２に挿入されると、第一突部２０２の側壁面と位置決め部の開口１０２を囲むサブハウジング１００の外壁面とが圧接する関係に設定されている。位置決め部の開口１０２への挿入を容易にするため、第一突部２０２の角部を面取りすることが望ましい。
【００２６】
第二突部２０６（図１参照）は、原稿マット２００の第一端部２０８の第一突部２０２から離間した位置に設けられている。第二突部２０６の形状は第一突部２０２と実質的に同一である。回転規制部の開口１０６が上述したような楕円であるため、第二突部２０６は、第一突部２０２及び第二突部２０６の配列方向に垂直な方向にきつく、第一突部２０２及び第二突部２０６の配列方向に緩く回転規制部の開口１０６に挿入される。このような寸法設定は、第一突部２０２と第二突部２０６との間隔と、位置決め部の開口１０２と回転規制部の開口１０６との間隔が成形時にずれたとしても回転規制部の開口１０６に第二突部２０６を確実に挿入でき、かつ第一突部２０２を中心として原稿マット２００が回転しないようにするためである。
以上、イメージスキャナ１の構成について説明した。
【００２７】
（２）原稿マットの装着
次に原稿マット２００の装着について説明する。
はじめに、図８及び図９に示すように、原稿マット２００の差込部２０４がサブハウジング１００の掛け止め部の開口１０４に挿入される。この操作は図１０（Ａ）に示すようにサブハウジング１００を上方向に回転させてメインハウジング３００から離間させた状態で行われる。掛け止め部の開口１０４は差込部２０４を緩く挿入できるように構成されているため、ユーザは掛け止め部の開口１０４に原稿マット２００の差込部２０４を容易に挿入することができる。またサブハウジング１００の回転軸Ａの近傍に掛け止め部の開口１０４が形成されているため、ユーザは原稿マット２００をサブハウジング１００の掛け止め部の開口１０４に容易に挿入することができる。
原稿マット２００の差込部２０４がサブハウジング１００の掛け止め部の開口１０４に挿入されると、差込部２０４は掛け止め部の空洞１０７に収容された状態でサブハウジング１００の壁面によって掛け止められる。
【００２８】
次に、第一端部２０８をほぼ中心にしてサブハウジング１００に接近する方向に原稿マット２００が回転すると、図７に示すように第一突部２０２は位置決め部の開口１０２にきつく挿入され、第二突部２０６は、第一突部２０２及び第二突部２０６の配列方向に垂直な方向にきつく、第一突部２０２及び第二突部２０６の配列方向に緩く回転規制部の開口１０６に挿入される。さらに原稿マット２００の第二端部２１０が保持部１０８によって保持される。その結果、原稿マット２００の下面２０１と平行な運動（平行移動及び回転）は完全に規制され、原稿マット２００がサブハウジング１００に対して正確に位置決めされる。
【００２９】
サブハウジング１００が下方向（図１０（Ａ）参照）に回転し、原稿マット２００が原稿台１６に載置された状態では、図１０（Ｂ）に示すように原稿マット２００は原稿ガイド３０２に乗り上げることなく、原稿マット２００の下面２０１全体が原稿台１６に密着する。原稿マット２００をサブハウジング１００に正確に位置決めすることができるため、読み取り領域原点から原稿マット２００の縁までの幅Ｗ３の公差と、原稿ガイド３０２から原稿マット２００の縁までの幅Ｗ１の公差とを小さく見積もることができる。その結果、原稿ガイド３０２から読み取り領域原点までの距離Ｗ２を小さく設定することができる。また、原稿マット２００の下面２０１の全体が原稿台１６に密着できるため、読み取り領域内で原稿が原稿台１６から浮き上がることを防止できる。したがって、ＳＬＡ１８の浅い被写界深度内に原稿を位置決めすることができる。
【００３０】
（他の実施例）
図１１（Ａ）（Ｂ）に示すように、差込部２０４は原稿マット２００の第一端部２０８に１つだけ設けてもよい。
【図面の簡単な説明】
【００３１】
【図１】本発明の実施例に係る模式図。
【図２】本発明の実施例に係るブロック図。
【図３】本発明の実施例に係る斜視図。
【図４】本発明の実施例に係る斜視図。
【図５】本発明の実施例に係る斜視図。
【図６】本発明の実施例に係る斜視図。
【図７】本発明の実施例に係る断面図。
【図８】本発明の実施例に係る斜視図。
【図９】本発明の実施例に係る断面図。
【図１０】本発明の実施例に係る模式図。
【図１１】本発明の実施例に係る斜視図。
【符号の説明】
【００３２】
１：イメージスキャナ（画像読み取り装置）、１６：原稿台、２０：リニアイメージセンサ（読み取り部）、２２：反射原稿照明部（第一照明部）、２４：メインキャリッジ、２６：透過原稿照明部（第二照明部）、１００：サブハウジング（第二照明部）、１０２：位置決め部の開口、１０４：掛け止め部の開口、１０６：回転規制部の開口、１０８：保持部、２００：原稿マット、２０２：第一突部、２０４：差込部、２０６：第二突部、２０８：第一端部、２１０：第二端部、３００：メインハウジング
【図１】
2007010952.tif 000003
【図２】
2007010952.tif 000004
【図３】
2007010952.tif 000005
【図４】
2007010952.tif 000006
【図５】
2007010952.tif 000007
【図６】
2007010952.tif 000008
【図７】
2007010952.tif 000009
【図８】
2007010952.tif 000010
【図９】
2007010952.tif 000011
【図１０】
2007010952.tif 000012
【図１１】
2007010952.tif 000013